【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
電子機器を遠隔操作可能な端末装置であって、
前記電子機器との間の通信を制御するための通信制御手段と、
前記端末装置に搭載される表示装置における画面表示を制御するための表示制御手段と、
前記表示装置に表示されている前記電子機器を操作するための操作画面に対するユーザー操作の入力を受け付けるための入力手段と、
前記電子機器との間で通信することによって、前記ユーザー操作に基づく操作信号を前記電子機器に対して出力するための指示手段とを備え、
前記表示制御手段は、前記表示装置に前記操作画面を表示しているときにイベントが発生すると、前記操作画面を、前記入力手段が前記ユーザー操作を受け付け可能な表示状態から受け付け不可な表示状態に切り替えるための切替手段を含み、
前記端末装置は、発生した前記イベントが、予め規定されている特定のイベントであるか否かを判定するための判定手段をさらに備え、
前記通信制御手段は、前記表示装置に前記操作画面を表示しているときに発生した前記イベントが前記特定のイベントである場合には前記電子機器との間の通信を切断し、前記イベントが前記特定のイベントとは異なる他のイベントである場合には前記電子機器との間の通信を維持し、
発生した前記イベントが前記他のイベントである場合には、前記発生したイベントが終了すると、前記切替手段は、前記操作画面を前記ユーザー操作を受け付け不可な表示状態から受け付け可能な表示状態に切り替え、
前記端末装置は、前記電子機器の操作を待機しているユーザーの有無を検知するための検知手段をさらに備え、
前記操作画面が前記ユーザー操作を受け付け不可な表示状態において前記電子機器との間の通信を維持している場合に、前記電子機器の操作を待機しているユーザーがいることが検知されると、前記通信制御手段は、前記電子機器との間の通信を切断する、端末装置。
【請求項２】
前記特定のイベントは、前記電子機器の遠隔操作を終了することを指示するユーザー操作である、請求項１に記載の端末装置。
【請求項３】
前記検知手段は、前記電子機器から規定範囲内のユーザーの有無の検出結果を前記電子機器から受け取ることによって、前記電子機器の操作を待機しているユーザーの有無を検知する、請求項１に記載の端末装置。
【請求項４】
前記検知手段は、前記電子機器に登録されている当該電子機器に対する操作を待機しているユーザーの有無を前記電子機器から受け取ることによって、前記電子機器の操作を待機しているユーザーの有無を検知する、請求項１に記載の端末装置。
【請求項５】
前記操作画面を前記ユーザー操作を受け付け不可な表示状態から受け付け可能な表示状態に切り替えるときに、前記表示制御手段は、前記操作画面が前記ユーザー操作を受け付け不可な表示状態に切り替わったときに前記操作画面で前記電子機器に対して設定されていた内容を、前記表示装置に表示する、請求項１〜４のいずれかに記載の端末装置。
【請求項６】
電子機器を遠隔操作可能な端末装置の制御プログラムであって、
前記制御プログラムは前記端末装置に、
前記電子機器との間の通信を確立するステップと、
前記端末装置に搭載される表示装置に前記電子機器を操作するための操作画面を表示す
るステップと、
前記操作画面に対するユーザー操作の入力を受け付けるステップと、
前記電子機器との間で通信することによって、前記ユーザー操作に基づく操作信号を前記電子機器に対して出力するステップと、
前記表示装置に前記操作画面を表示しているときにイベントが発生すると、前記操作画面を、前記ユーザー操作を受け付け可能な表示状態から受け付け不可な表示状態に切り替えるステップと、
発生した前記イベントが、予め規定されている特定のイベントである場合には前記電子機器との間の通信を切断し、前記イベントが前記特定のイベントとは異なる他のイベントである場合には前記電子機器との間の通信を維持するステップと、
発生した前記イベントが前記他のイベントである場合には、前記発生したイベントが終了すると、前記操作画面を前記ユーザー操作を受け付け不可な表示状態から受け付け可能な表示状態に切り替えるステップと、
前記電子機器の操作を待機しているユーザーの有無を検知するステップと、
前記操作画面が前記ユーザー操作を受け付け不可な表示状態において前記電子機器との間の通信を維持している場合に、前記電子機器の操作を待機しているユーザーがいることが検知されると、前記電子機器との間の通信を切断するステップとを実行させる、制御プログラム。
【請求項７】
遠隔操作システムであって、
電子機器と、
前記電子機器と通信可能な端末装置と、
前記端末装置と前記電子機器との間の通信を制御するための通信制御手段と、
前記端末装置に搭載される表示装置における画面表示を制御するための表示制御手段と、
前記表示装置に表示されている前記電子機器を操作するための操作画面に対するユーザー操作の入力を受け付けるための入力手段と、
前記端末装置と前記電子機器との間の通信によって、前記ユーザー操作に基づく操作信号を、前記端末装置から前記電子機器に転送するための指示手段とを備え、
前記表示制御手段は、前記端末装置の前記表示装置に前記操作画面を表示しているときに前記端末装置においてイベントが発生すると、前記操作画面を、前記入力手段が前記ユーザー操作を受け付け可能な表示状態から受け付け不可な表示状態に切り替えるための切替手段を含み、
前記遠隔操作システムは、発生した前記イベントが、予め規定されている特定のイベントであるか否かを判定するための判定手段をさらに備え、
前記通信制御手段は、前記表示装置に前記操作画面を表示しているときに発生した前記イベントが前記特定のイベントである場合には前記電子機器との間の通信を切断し、前記イベントが前記特定のイベントとは異なる他のイベントである場合には前記電子機器との間の通信を維持し、
発生した前記イベントが前記他のイベントである場合には、前記発生したイベントが終了すると、前記切替手段は、前記操作画面を前記ユーザー操作を受け付け不可な表示状態から受け付け可能な表示状態に切り替え、
前記遠隔操作システムは、前記電子機器の操作を待機しているユーザーの有無を検知するための検知手段をさらに備え、
前記操作画面が前記ユーザー操作を受け付け不可な表示状態において前記電子機器との間の通信を維持している場合に、前記電子機器の操作を待機しているユーザーがいることが検知されると、前記通信制御手段は、前記電子機器との間の通信を切断する、遠隔操作システム。
【請求項８】
端末装置で電子機器の遠隔操作を行なうための、前記端末装置と前記電子機器とを含むシステムの制御方法であって、
前記端末装置と前記電子機器との間の通信を確立するステップと、
前記端末装置に搭載される表示装置に前記電子機器を操作するための操作画面を表示するステップと、
前記操作画面に対するユーザー操作の入力を受け付けるステップと、
前記端末装置と前記電子機器との間の通信によって、前記ユーザー操作に基づく操作信号を前記端末装置から前記電子機器に転送するステップと、
前記表示装置に前記操作画面を表示しているときに前記端末装置においてイベントが発生すると、前記操作画面を、前記ユーザー操作を受け付け可能な表示状態から受け付け不可な表示状態に切り替えるステップと、
前記端末装置で発生した前記イベントが、予め規定されている特定のイベントである場合には前記端末装置と前記電子機器との間の通信を切断し、前記イベントが前記特定のイ
ベントとは異なる他のイベントである場合には前記端末装置と前記電子機器との間の通信を維持するステップと、
前記端末装置で発生した前記イベントが前記他のイベントである場合には、前記発生したイベントが終了すると、前記操作画面を前記ユーザー操作を受け付け不可な表示状態から受け付け可能な表示状態に切り替えるステップと、
前記電子機器の操作を待機しているユーザーの有無を検知するステップと、
前記操作画面が前記ユーザー操作を受け付け不可な表示状態において前記端末装置と前記電子機器との間の通信を維持している場合に、前記電子機器の操作を待機しているユーザーがいることが検知されると、前記端末装置と前記電子機器との間の通信を切断するステップとを備える、制御方法。
【手続補正２】
【補正対象書類名】明細書
【補正対象項目名】００１３
【補正方法】変更
【補正の内容】
【００１３】
ある実施の形態に従うと、電子機器を遠隔操作可能な端末装置が提供される。この端末装置は、電子機器との間の通信を制御するための通信制御手段と、端末装置に搭載される表示装置における画面表示を制御するための表示制御手段と、表示装置に表示されている電子機器を操作するための操作画面に対するユーザー操作の入力を受け付けるための入力手段と、電子機器との間で通信することによって、ユーザー操作に基づく操作信号を電子機器に対して出力するための指示手段とを備える。表示制御手段は、表示装置に操作画面を表示しているときにイベントが発生すると、操作画面を、入力手段がユーザー操作を受け付け可能な表示状態から受け付け不可な表示状態に切り替えるための切替手段を含む。端末装置は、発生したイベントが、予め規定されている特定のイベントであるか否かを判定するための判定手段をさらに備える。通信制御手段は、表示装置に操作画面を表示しているときに発生したイベントが特定のイベントである場合には電子機器との間の通信を切断し、発生したイベントが特定のイベントとは異なる他のイベントである場合には電子機器との間の通信を維持し、発生したイベントが上記他のイベントである場合には、発生したイベントが終了すると、切替手段は、操作画面をユーザー操作を受け付け不可な表示状態から受け付け可能な表示状態に切り替える。端末装置は、電子機器の操作を待機しているユーザーの有無を検知するための検知手段をさらに備える。操作画面がユーザー操作を受け付け不可な表示状態において電子機器との間の通信を維持している場合に、電子機器の操作を待機しているユーザーがいることが検知されると、通信制御手段は、電子機器との間の通信を切断する。
【手続補正３】
【補正対象書類名】明細書
【補正対象項目名】００１５
【補正方法】削除
【補正の内容】
【手続補正４】
【補正対象書類名】明細書
【補正対象項目名】００１９
【補正方法】変更
【補正の内容】
【００１９】
他の実施の形態に従うと、電子機器を遠隔操作可能な端末装置の制御プログラムが提供される。この制御プログラムは端末装置に、電子機器との間の通信を確立するステップと、端末装置に搭載される表示装置に電子機器を操作するための操作画面を表示するステップと、操作画面に対するユーザー操作の入力を受け付けるステップと、電子機器との間で通信することによって、ユーザー操作に基づく操作信号を電子機器に対して出力するステップと、表示装置に操作画面を表示しているときにイベントが発生すると、操作画面を、ユーザー操作を受け付け可能な表示状態から受け付け不可な表示状態に切り替えるステップと、発生したイベントが、予め規定されている特定のイベントである場合には電子機器との間の通信を切断し、イベントが特定のイベントとは異なる他のイベントである場合には電子機器との間の通信を維持するステップと、発生したイベントが上記他のイベントである場合には、発生したイベントが終了すると、操作画面をユーザー操作を受け付け不可な表示状態から受け付け可能な表示状態に切り替えるステップと、電子機器の操作を待機しているユーザーの有無を検知するステップと、操作画面がユーザー操作を受け付け不可な表示状態において電子機器との間の通信を維持している場合に、電子機器の操作を待機しているユーザーがいることが検知されると、電子機器との間の通信を切断するステップとを実行させる。
【手続補正５】
【補正対象書類名】明細書
【補正対象項目名】００２０
【補正方法】変更
【補正の内容】
【００２０】
他の実施の形態に従うと、遠隔操作システムは、電子機器と、電子機器と通信可能な端末装置と、端末装置と電子機器との間の通信を制御するための通信制御手段と、端末装置に搭載される表示装置における画面表示を制御するための表示制御手段と、表示装置に表示されている電子機器を操作するための操作画面に対するユーザー操作の入力を受け付けるための入力手段と、端末装置と電子機器との間の通信によって、ユーザー操作に基づく操作信号を、端末装置から電子機器に転送するための指示手段とを備える。表示制御手段は、端末装置の表示装置に操作画面を表示しているときに端末装置においてイベントが発生すると、操作画面を、入力手段がユーザー操作を受け付け可能な表示状態から受け付け不可な表示状態に切り替えるための切替手段を含む。遠隔操作システムは、発生したイベントが、予め規定されている特定のイベントであるか否かを判定するための判定手段をさらに備える。通信制御手段は、表示装置に操作画面を表示しているときに発生したイベントが特定のイベントである場合には電子機器との間の通信を切断し、イベントが特定のイベントとは異なる他のイベントである場合には電子機器との間の通信を維持し、発生したイベントが上記他のイベントである場合には、発生したイベントが終了すると、切替手段は、操作画面をユーザー操作を受け付け不可な表示状態から受け付け可能な表示状態に切り替える。遠隔操作システムは、電子機器の操作を待機しているユーザーの有無を検知するための検知手段をさらに備える。操作画面がユーザー操作を受け付け不可な表示状態において電子機器との間の通信を維持している場合に、電子機器の操作を待機しているユーザーがいることが検知されると、通信制御手段は、電子機器との間の通信を切断する。
【手続補正６】
【補正対象書類名】明細書
【補正対象項目名】００２１
【補正方法】変更
【補正の内容】
【００２１】
他の実施の形態に従うと、端末装置で電子機器の遠隔操作を行なうための、端末装置と電子機器とを含むシステムの制御方法が提供される。この制御方法は、端末装置と電子機器との間の通信を確立するステップと、端末装置に搭載される表示装置に電子機器を操作するための操作画面を表示するステップと、操作画面に対するユーザー操作の入力を受け付けるステップと、端末装置と電子機器との間の通信によって、ユーザー操作に基づく操作信号を端末装置から電子機器に転送するステップと、表示装置に操作画面を表示しているときに端末装置においてイベントが発生すると、操作画面を、ユーザー操作を受け付け可能な表示状態から受け付け不可な表示状態に切り替えるステップと、端末装置で発生したイベントが、予め規定されている特定のイベントである場合には端末装置と電子機器と
の間の通信を切断し、イベントが特定のイベントとは異なる他のイベントである場合には端末装置と電子機器との間の通信を維持するステップと、端末装置で発生したイベントが上記他のイベントである場合には、発生したイベントが終了すると、操作画面をユーザー操作を受け付け不可な表示状態から受け付け可能な表示状態に切り替えるステップと、電子機器の操作を待機しているユーザーの有無を検知するステップと、操作画面がユーザー操作を受け付け不可な表示状態において端末装置と電子機器との間の通信を維持している場合に、電子機器の操作を待機しているユーザーがいることが検知されると、端末装置と電子機器との間の通信を切断するステップとを備える。